(57)【特許請求の範囲】
【請求項１】
スロットの外周側に配置され、外周側コア嵌合部を有するとともにヨーク部を構成する外周側コアと、
前記外周側コアの内周側において、前記外周側コア嵌合部に嵌合される内周側コア嵌合部を有するとともにティース部を構成する内周側コアと、
前記内周側コアおよび前記外周側コアの回転軸方向の端部に配置される端面板とを備え、
前記端面板は、前記外周側コア嵌合部に対応する形状を有する嵌合部対応部分を含み、
前記嵌合部対応部分は、回転軸方向から見て、前記外周側コア嵌合部と前記内周側コア嵌合部とに跨るように、前記外周側コア嵌合部に対して周方向にずれた状態で配置されている、ステータ。
【請求項２】
前記端面板は、回転軸方向から見て、前記内周側コアの外周側において、前記外周側コア嵌合部と前記内周側コア嵌合部とに跨るように配置されている、請求項１に記載のステータ。
【請求項３】
前記端面板は、前記内周側コアおよび前記外周側コアの回転軸方向の一方側と他方側との両方の端部において前記内周側コアおよび前記外周側コアを挟み込むように配置され、回転軸方向の一方側の前記外周側コア嵌合部と前記内周側コア嵌合部とに跨るように配置されるとともに、回転軸方向の他方側の前記外周側コア嵌合部と前記内周側コア嵌合部とに跨るように配置されている、請求項１または２に記載のステータ。
【請求項４】
前記外周側コアは、固定具が挿入される締結孔を有する鋼板を積層することにより形成されており、
前記端面板は、前記外周側コア嵌合部と前記内周側コア嵌合部とに跨るように配置された状態で、前記固定具が挿入される前記締結孔に対応する位置に設けられる端面板孔部を有する、請求項１〜３のいずれか１項に記載のステータ。
【請求項５】
前記端面板は、前記内周側コアおよび前記外周側コアの回転軸方向の一方側と他方側との両方の端部において前記内周側コアおよび前記外周側コアを挟み込むように配置され、
前記端面板の前記端面板孔部が前記締結孔に対応する位置に配置された状態で、前記嵌合部対応部分は、回転軸方向から見て、前記外周側コア嵌合部に対して周方向にずれた状態になり、前記端面板が、前記外周側コア嵌合部と前記内周側コア嵌合部とに跨るように配置される、請求項４に記載のステータ。
【請求項６】
前記端面板は、回転軸方向から見て、前記端面板の前記端面板孔部が前記締結孔に対して周方向にずれた状態では、前記外周側コアに対して前記内周側コアを回転軸方向に嵌合可能なように、前記外周側コア嵌合部と前記内周側コア嵌合部とに跨らないように構成されている、請求項５に記載のステータ。
【請求項７】
前記外周側コア嵌合部は、複数設けられ、
前記内周側コア嵌合部は、複数設けられ、
前記端面板は、前記内周側コアおよび前記外周側コアの回転軸方向の一方側と他方側との両方の端部において前記内周側コアおよび前記外周側コアを挟み込むように配置され、
回転軸方向の一方側と他方側との両方に配置される前記端面板のうちの少なくとも一方は、回転軸方向から見て、前記端面板が、周方向に沿って、前記複数の外周側コア嵌合部と、前記複数の内周側コア嵌合部とに跨るように、前記端面板の内周側の縁部は、前記内周側コア嵌合部の外周側の縁部よりも内周側に配置されるように構成されている、請求項４〜６のいずれか1項に記載のステータ。
【請求項８】
前記外周側コア嵌合部は、複数設けられ、
前記内周側コア嵌合部は、複数設けられ、
前記端面板は、前記内周側コアおよび前記外周側コアの回転軸方向の一方側と他方側との両方の端部において前記内周側コアおよび前記外周側コアを挟み込むように配置され、
回転軸方向の一方側に配置される前記端面板は、前記外周側コア嵌合部に対応する形状を有する前記嵌合部対応部分を含み、前記端面板の前記端面板孔部が前記締結孔に対応する位置に配置された状態で、前記嵌合部対応部分は、回転軸方向から見て、前記外周側コア嵌合部に対して周方向にずれた状態になり、前記端面板が、前記外周側コア嵌合部と前記内周側コア嵌合部とに跨るように配置され、
回転軸方向の他方側に配置される前記端面板は、回転軸方向から見て、前記端面板が、周方向に沿って、前記複数の外周側コア嵌合部と、前記複数の内周側コア嵌合部とに跨るように、前記端面板の内周側の縁部は、前記内周側コア嵌合部の外周側の縁部よりも内周側に配置されるように構成されている、請求項４〜７のいずれか１項に記載のステータ。
【請求項９】
前記端面板の外周側の形状は、前記外周側コアの外周側の形状に略等しい、請求項１〜８のいずれか１項に記載のステータ。
【請求項１０】
ティース部を構成する内周側コアを回転軸方向に挿入することによって、スロットの外周側に配置されヨーク部を構成する外周側コアの内周側において、前記外周側コアの外周側コア嵌合部に、前記内周側コアの内周側コア嵌合部を嵌合させる工程と、
前記内周側コアおよび前記外周側コアの回転軸方向の端部に端面板を配置する工程とを備え、
前記端面板を配置する工程は、前記端面板の嵌合部対応部分が、回転軸方向から見て、前記外周側コア嵌合部に対して周方向にずれた状態で、前記端面板を、前記外周側コア嵌合部と前記内周側コア嵌合部とに跨るように配置する工程を含む、ステータの製造方法。
【請求項１１】
前記端面板を配置する工程は、
前記内周側コアを前記外周側コアに嵌合する前に、回転軸方向から見て、前記端面板の端面板孔部が、前記外周側コアを形成する鋼板の固定具が挿入される締結孔に対して周方向にずれた状態で、前記外周側コアに対して前記内周側コアを回転軸方向に嵌合可能なように、前記外周側コア嵌合部と前記内周側コア嵌合部とに跨らないように前記端面板を配置する工程と、
前記内周側コアを回転軸方向に挿入することによって、前記内周側コアを前記外周側コアに嵌合した後に、前記端面板の前記端面板孔部が前記締結孔に対応する位置に配置されるように、前記端面板を周方向に移動させることによって、前記端面板の前記嵌合部対応部分が、回転軸方向から見て、前記外周側コア嵌合部に対して周方向にずれた状態で、前記端面板を、前記外周側コア嵌合部と前記内周側コア嵌合部とに跨るように配置する工程とを含む、請求項１０に記載のステータの製造方法。
【発明の詳細な説明】
【技術分野】
【０００１】
本発明は、ステータおよびステータの製造方法に関する。
【背景技術】
【０００２】
従来、外周側コアと内周側コアとを備えるステータおよびステータの製造方法が知られている（たとえば、特許文献１参照）。
【０００３】
上記特許文献１に記載のステータでは、スロットに対して外周側に位置する複数のヨークコア部（外周側コア）と、スロットの周方向側に位置し、ヨークコア部同士を連結する複数のティースコア部（内周側コア）とを備えるステータが開示されている。このステータでは、複数のヨークコア部と複数のティースコア部とを周方向に隣接するように配置した状態で、円環状の嵌合リング部内に複数のヨークコア部と複数のティースコア部とを挿入（嵌合）することにより、複数のヨークコア部と複数のティースコア部とを固定するように構成されている。これにより、複数のヨークコア部と複数のティースコア部との周方向および半径方向への移動が嵌合リング部により規制されている。
【先行技術文献】
【特許文献】
【０００４】
【特許文献１】特開２０１０−２３３３８７号公報
【発明の概要】
【発明が解決しようとする課題】
【０００５】
しかしながら、上記特許文献１のステータでは、複数のヨークコア部と複数のティースコア部との周方向および半径方向への移動が嵌合リング部により規制されている一方、ステータの振動や、ティースコア部がロータの永久磁石の磁力により吸引されてティースコア部の嵌合が緩むことに起因して、ティースコア部（内周側コア）がヨークコア部（外周側コア）に対して回転軸方向に相対的に移動する場合があるという問題点がある。
【０００６】
この発明は、上記のような課題を解決するためになされたものであり、この発明の１つの目的は、内周側コアが外周側コアに対して回転軸方向に相対的に移動するのを防止することが可能なステータおよびステータの製造方法を提供することである。
【課題を解決するための手段】
【０００７】
上記目的を達成するために、この発明の第１の局面におけるステータは、スロットの外周側に配置され、外周側コア嵌合部を有するとともにヨーク部を構成する外周側コアと、外周側コアの内周側において、外周側コア嵌合部に嵌合される内周側コア嵌合部を有するとともにティース部を構成する内周側コアと、内周側コアおよび外周側コアの回転軸方向の端部に配置される端面板とを備え、端面板は、外周側コア嵌合部に対応する形状を有する嵌合部対応部分を含み、嵌合部対応部分は、回転軸方向から見て、外周側コア嵌合部と内周側コア嵌合部とに跨るように、外周側コア嵌合部に対して周方向にずれた状態で配置されている。
【０００８】
この発明の第１の局面によるステータでは、上記のように、回転軸方向から見て、外周側コア嵌合部と内周側コア嵌合部とに跨るように、内周側コアおよび外周側コアの回転軸方向の端部に配置される端面板を備える。これにより、内周側コアの外周側コアに対する回転軸方向の相対的な移動が端面板により規制されるので、内周側コアが外周側コアに対して回転軸方向に相対的に移動するのを防止することができる。
【０００９】
この発明の第２の局面におけるステータの製造方法は、ティース部を構成する内周側コアを回転軸方向に挿入することによって、スロットの外周側に配置されヨーク部を構成する外周側コアの内周側において、外周側コアの外周側コア嵌合部に、内周側コアの内周側コア嵌合部を嵌合させる工程と、内周側コアおよび外周側コアの回転軸方向の端部に端面板を配置する工程とを備え、端面板を配置する工程は、端面板の嵌合部対応部分が、回転軸方向から見て、外周側コア嵌合部に対して周方向にずれた状態で、端面板を、外周側コア嵌合部と内周側コア嵌合部とに跨るように配置する工程を含む。
【００１０】
この発明の第２の局面によるステータの製造方法では、上記のように、回転軸方向から見て、外周側コアの外周側コア嵌合部と内周側コアの内周側コア嵌合部とに跨るように、内周側コアおよび外周側コアの回転軸方向の端部に端面板を配置する工程を備える。これにより、内周側コアの外周側コアに対する回転軸方向の相対的な移動が端面板により規制されるので、内周側コアが外周側コアに対して回転軸方向に相対的に移動するのを防止することが可能なステータの製造方法を提供することができる。
【発明の効果】
【００１１】
本発明によれば、上記のように、内周側コアが外周側コアに対して回転軸方向に相対的に移動するのを防止することができる。
【図面の簡単な説明】
【００１２】
【図１】本発明の第１実施形態によるステータを回転軸方向から見た図である。
【図２】本発明の第１実施形態によるステータの断面図である。
【図３】本発明の第１実施形態によるステータコアを回転軸方向から見た図である。
【図４】本発明の第１実施形態による外周側コアを回転軸方向から見た図である。
【図５】本発明の第１実施形態による内周側コアを回転軸方向から見た図である。
【図６】本発明の第１実施形態によるコイルを回転軸方向から見た図である。
【図７】本発明の第１（第３）実施形態による端面板を回転軸方向から見た図である。
【図８】図１の部分拡大図である。
【図９】外周側コア嵌合部と内周側コア嵌合部とに跨らないように配置された端面板を回転軸方向から見た図である。
【図１０】図９の部分拡大図である。
【図１１】本発明の第２実施形態によるステータを回転軸方向から見た図である。
【図１２】本発明の第２実施形態によるステータの断面図である。
【図１３】本発明の第２（第３）実施形態による端面板を回転軸方向から見た図である。
【図１４】図１１の部分拡大図である。
【図１５】本発明の第３実施形態によるステータの断面図である。
【発明を実施するための形態】
【００１３】
以下、本発明の実施形態を図面に基づいて説明する。
【００１４】
［第１実施形態］
（ステータの構造）
図１〜図１０を参照して、第１実施形態によるステータ１００の構造について説明する。
【００１５】
図１および図２に示すように、ステータ１００は、ステータコア１０と、コイル４０とを含む。図３に示すように、ステータコア１０は、外周側コア２０と、内周側コア３０とを含む。
【００１６】
図４に示すように、外周側コア２０は、略円環状の鋼板を回転軸方向（Ｚ方向）に積層することにより形成されている。また、外周側コア２０は、スロット１１（図３参照）の外周側に配置される外周側コア嵌合部２１を有する。外周側コア嵌合部２１は、外周側コア２０の内周側に設けられており、後述する内周側コア嵌合部３１が周方向および半径方向に嵌合するように構成されている。また、外周側コア嵌合部２１は、回転軸方向（Ｚ方向）に延びる溝部２１ａにより構成されている。また、隣り合う溝部２１ａ間には、歯部２１ｂが設けられている。また、外周側コア嵌合部２１（溝部２１ａ）は、複数（第１実施形態では、４８個）設けられている。また、外周側コア２０は、ヨーク部２２を構成する。
【００１７】
また、外周側コア２０は、ボルトなどの固定具（図示せず）が挿入される締結孔２３を有する。締結孔２３は、複数（第１実施形態では、３個）設けられている。そして、締結孔２３に固定具（図示せず）が挿入されて締結されることにより、ステータ１００は、図示しないステータハウジングなどに取り付けられる。
【００１８】
図５に示すように、内周側コア３０は、略円環状の鋼板を回転軸方向（Ｚ方向）に積層することにより形成されている。また、内周側コア３０は、外周側コア２０の内周側において、外周側コア嵌合部２１に周方向および半径方向に嵌合される内周側コア嵌合部３１を有する。これにより、内周側コア嵌合部３１は、外周側コア嵌合部２１に対して、周方向および半径方向に移動するのが抑制されている。また、内周側コア嵌合部３１は、内周側コア３０の外周側に設けられている。また、内周側コア嵌合部３１は、複数（第１実施形態では、４８個）設けられている。また、内周側コア３０は、コイル４０が巻回されるティース部３２を構成する。また、内周側コア嵌合部３１は、ティース部３２の半径方向外側端部に設けられている。
【００１９】
また、図６に示すように、コイル４０は、１つの第１コイル部４１、１つの第２コイル部４２、および、複数（第１実施形態では、６個）の第３コイル部４３を含む。第１コイル部４１は、スロット１１の外周側に配置されている単層重ね巻コイルからなる。第２コイル部４２は、スロット１１の内周側に配置されている単層重ね巻コイルからなる。第３コイル部４３は、周方向の一方側の部分がスロット１１の外周側に配置され、周方向の他方側の部分がスロット１１の内周側に配置される２層重ね巻コイルからなる。
【００２０】
また、図２に示すように、ステータ１００には、外周側コア２０および内周側コア３０の回転軸方向の一方側（Ｚ１方向側）と他方側（Ｚ２方向側）との両方の端部において外周側コア２０および内周側コア３０を挟み込むように配置される端面板５０（端面板５０ａおよび５０ｂ）が設けられている。なお、端面板５０ａおよび５０ｂは、同一の形状を有する。また、端面板５０は、ステータコア１０を形成する鋼板と同一の材料により形成されている。
【００２１】
図７に示すように、端面板５０は、外周側コア２０および内周側コア３０を構成する鋼板と同じ材質および厚みを有する鋼板により、略円環状に形成されている。ここで、第１実施形態では、端面板５０は、外周側コア２０の外周側コア嵌合部２１の溝部２１ａおよび歯部２１ｂにそれぞれ対応する形状を有する溝部５２および歯部５３を含んでいる。すなわち、端面板５０の溝部５２は、外周側コア２０の溝部２１ａと略同一の溝幅と、溝深さと、半径方向位置とを有する。また、端面板５０の歯部５３は、外周側コア２０の歯部２１ｂと略同一の歯幅と、突出長さと、半径方向位置とを有する。また、溝部５２および歯部５３は、それぞれ、複数（第１実施形態では、４８個）設けられている。また、溝部５２は、端面板５０の内周側に配置されており、後述するステータ１００の製造時において内周側コア３０を外周側コア２０に嵌合する際に、内周側コア嵌合部３１（ティース部３２）が通過するように構成されている。また、歯部５３は、隣り合う２つの溝部５２の間に設けられている。すなわち、端面板５０の内周側の形状と外周側コア嵌合部２１の内周側の形状（図４参照）とは、回転軸方向から見て略一致する。なお、溝部５２および歯部５３は、特許請求の範囲の「嵌合部対応部分」の一例である。
【００２２】
ここで、第１実施形態では、図８に示すように、回転軸方向から見て、端面板５０は、外周側コア嵌合部２１と内周側コア嵌合部３１とに跨るように、外周側コア２０および内周側コア３０の回転軸方向の端部に配置されている。具体的には、端面板５０は、回転軸方向から見て、内周側コア３０の外周側（つまり、ティース部３２の外周側）において、外周側コア嵌合部２１と内周側コア嵌合部３１とに跨るように配置されている。詳細には、端面板５０の歯部５３は、外周側コア嵌合部２１および内周側コア嵌合部３１の回転軸方向の端面に直接接触するように配置されており、外周側コア嵌合部２１および内周側コア嵌合部３１に直接接触した状態で、外周側コア嵌合部２１（歯部２１ｂ）と、ティース部３２の半径方向外側に位置する内周側コア嵌合部３１とに跨るように配置されている。
【００２３】
また、図７に示すように、第１実施形態では、端面板５０は、複数（第１実施形態では、３個）の端面板孔部５１を有する。図８に示すように、端面板孔部５１は、端面板５０が外周側コア嵌合部２１と内周側コア嵌合部３１とに跨るように配置された状態で、固定具（図示せず）が挿入されるステータコア１０の締結孔２３に対応する位置に設けられている。すなわち、端面板孔部５１の直径と、締結孔２３の直径とが略同一であり、端面板５０が外周側コア嵌合部２１と内周側コア嵌合部３１とに跨るように配置された状態で、回転軸方向から見て、端面板孔部５１の中心Ｃ１と、締結孔２３の中心Ｃ２とが略一致する。
【００２４】
そして、第１実施形態では、端面板５０の端面板孔部５１が締結孔２３に対応する位置に配置された状態で、歯部５３（溝部５２）は、回転軸方向から見て、外周側コア嵌合部２１に対して周方向にずれた状態になり、端面板５０の歯部５３が、外周側コア嵌合部２１と内周側コア嵌合部３１とに跨るように配置されている。具体的には、歯部５３の周方向の一方側（Ｒ１方向側）の部分が、半径方向に沿って、外周側コア嵌合部２１と内周側コア嵌合部３１とに跨った状態で延びるように配置されている。すなわち、外周側コア嵌合部２１の締結孔２３に対する位置（周方向の位置）と、溝部５２の端面板孔部５１に対する位置（周方向の位置）とが、所定の角度分、周方向にずれている。
【００２５】
また、図９および図１０に示すように、端面板５０は、回転軸方向から見て、端面板５０の端面板孔部５１が締結孔２３に対して周方向（Ｒ２方向）にずれた状態では、外周側コア２０に対して内周側コア３０を回転軸方向に嵌合可能なように、外周側コア嵌合部２１と内周側コア嵌合部３１とに跨らないように構成されている。具体的には、図１０に示すように、端面板５０は、回転軸方向から見て、端面板５０の端面板孔部５１が締結孔２３に対して周方向（Ｒ２方向）にずれた状態では、外周側コア嵌合部２１の内周側の縁部２１ａと、溝部５２の内周側の縁部５２ａとが略一致した状態となる。これにより、内周側コア３０を外周側コア２０に対して回転軸方向に移動させることにより、内周側コア３０を、端面板５０の溝部５２を介して、外周側コア嵌合部２１に嵌合（挿入）することが可能になる。
【００２６】
また、第１実施形態では、図８に示すように、外周側コア２０および内周側コア３０の回転軸方向の一方側と他方側との両方の端部において外周側コア２０および内周側コア３０を挟み込むように配置されている端面板５０（端面板５０ａおよび５０ｂ）のうちの、端面板５０ａは、回転軸方向の一方側（Ｚ１方向側）の外周側コア嵌合部２１と内周側コア嵌合部３１とに跨るように配置されている。また、端面板５０ｂは、回転軸方向の他方側（Ｚ２方向側）の外周側コア嵌合部２１と内周側コア嵌合部３１とに跨るように配置されている。
【００２７】
また、端面板５０の外周側（外側面５４）の形状（図７参照）は、外周側コア２０の外周側（外側面２４）の形状（図４参照）に略等しい。すなわち、図４に示すように、外周側コア２０の外側面２４には、回転軸方向から見て、締結孔２３に対応する部分に外周側に突出するように耳部２５が設けられているとともに、耳部２５以外の部分は、略円形状を有する。また、図７に示すように、端面板５０の外側面５４には、回転軸方向から見て、端面板孔部５１に対応する部分に外周側に突出するように耳部５５が設けられているとともに、耳部５５以外の部分は、略円形状を有する。
【００２８】
（第１実施形態の構成の効果）
第１実施形態では、以下のような効果を得ることができる。
【００２９】
第１実施形態では、上記のように、回転軸方向から見て、外周側コア嵌合部２１と内周側コア嵌合部３１とに跨るように、外周側コア２０および内周側コア３０の回転軸方向の端部に配置される端面板５０を備える。これにより、内周側コア３０の外周側コア２０に対する回転軸方向の相対的な移動が端面板５０により規制されるので、内周側コア３０が外周側コア２０に対して回転軸方向に相対的に移動するのを防止することができる。
【００３０】
また、第１実施形態では、上記のように、端面板５０を、回転軸方向から見て、内周側コア３０の外周側において、外周側コア嵌合部２１と内周側コア嵌合部３１とに跨るように配置する。これにより、内周側コア３０の内周側に配置されるコイル４０に、内周側コア３０の外周側に配置される端面板５０が干渉するのを防止することができる。これにより、コイル４０の損傷を防止しながら、内周側コア３０が外周側コア２０に対して回転軸方向に相対的に移動するのを防止することができる。
【００３１】
また、第１実施形態では、上記のように、端面板５０は、外周側コア２０および内周側コア３０の回転軸方向の一方側と他方側との両方の端部において外周側コア２０および内周側コア３０を挟み込むように配置され、回転軸方向の一方側の外周側コア嵌合部２１と内周側コア嵌合部３１とに跨るように配置されるとともに、回転軸方向の他方側の外周側コア嵌合部２１と内周側コア嵌合部３１とに跨るように配置されている。これにより、端面板５０が、回転軸方向の一方側のみ、または、他方側のみに配置されている場合と異なり、内周側コア３０の外周側コア２０に対する回転軸方向の相対的な移動を確実に規制することができる。
【００３２】
また、第１実施形態では、上記のように、外周側コア２０は、固定具（図示せず）が挿入される締結孔２３を有する鋼板を積層することにより形成されており、端面板５０を、外周側コア嵌合部２１と内周側コア嵌合部３１とに跨るように配置された状態で、固定具（図示せず）が挿入される締結孔２３に対応する位置に設けられる端面板孔部５１を有するように構成する。これにより、端面板孔部５１を介して固定具（図示せず）を締結孔２３に挿入して締結することにより、端面板５０を、外周側コア嵌合部２１と内周側コア嵌合部３１とに跨るように配置した状態で、外周側コア２０に固定することができる。
【００３３】
また、第１実施形態では、上記のように、端面板５０は、外周側コア嵌合部２１に対応する形状を有する溝部５２および歯部５３を有する。そして、端面板５０の端面板孔部５１が締結孔２３に対応する位置に配置された状態で、歯部５３は、回転軸方向から見て、外周側コア嵌合部２１に対して周方向にずれた状態になり、端面板５０が、外周側コア嵌合部２１と内周側コア嵌合部３１とに跨るように配置される。これにより、端面板５０を周方向に移動させて端面板５０の溝部５２と外周側コア嵌合部２１とを連通させることにより、容易に、外周側コア２０に対して内周側コア３０を回転軸方向に嵌合可能な状態にすることができる。
【００３４】
また、第１実施形態では、上記のように、端面板５０を、回転軸方向から見て、端面板５０の端面板孔部５１が締結孔２３に対して周方向にずれた状態では、外周側コア２０に対して内周側コア３０を回転軸方向に嵌合可能なように、外周側コア嵌合部２１と内周側コア嵌合部３１とに跨らないように構成する。これにより、端面板５０を外周側コア２０に配置した状態でも、外周側コア２０に対して内周側コア３０を回転軸方向に嵌合することができる。その結果、外周側コア２０に対して内周側コア３０を回転軸方向に嵌合した後に、端面板５０を回転軸方向に移動させて、内周側コア３０が嵌合された外周側コア２０に配置する場合と異なり、端面板５０と内周側コア３０に取り付けられたコイル４０とが干渉するのを防止（コイル４０の損傷を防止）することができる。また、外周側コア２０に対して内周側コア３０を回転軸方向に嵌合した後に、端面板５０を周方向に移動させるだけで、容易に、端面板５０を、外周側コア嵌合部２１と内周側コア嵌合部３１とに跨るように配置することができる。
【００３５】
また、第１実施形態では、上記のように、端面板５０の外周側（外側面５４）の形状を、外周側コア２０の外周側（外側面２４）の形状に略等しくする。これにより、回転軸方向から見て、端面板５０の外周側と外周側コア２０の外周側とを略一致させる（外側面５４と外側面２４とを略面一にする）ことにより、端面板５０の外周側コア２０に対する位置決めを容易に行うことができる。
【００３６】
（ステータの製造方法）
図８および図１０を参照して、第１実施形態によるステータ１００の製造方法について説明する。
【００３７】
まず、図１０に示すように、内周側コア３０を外周側コア２０に嵌合する前に、回転軸方向から見て、端面板５０の端面板孔部５１が、外周側コア２０を形成する鋼板の固定具（図示せず）が挿入される締結孔２３に対して周方向（Ｒ２方向）にずれた状態で、外周側コア２０に対して内周側コア３０を回転軸方向に嵌合可能なように、外周側コア嵌合部２１と内周側コア嵌合部３１とに跨らないように端面板５０を配置する。これにより、外周側コア嵌合部２１の内周側の縁部２１ａと、溝部５２の内周側の縁部５２ａとが略一致した状態となる。その結果、外周側コア２０に対して内周側コア３０を回転軸方向に嵌合可能になる。
【００３８】
次に、ティース部３２を構成する内周側コア３０を回転軸方向に挿入することによって、スロット１１の外周側に配置されヨーク部２２を構成する外周側コア２０の内周側において、外周側コア２０の外周側コア嵌合部２１に、内周側コア３０の内周側コア嵌合部３１を嵌合させる。なお、ティース部３２には、コイル４０が予め巻回されている。
【００３９】
次に、内周側コア３０を回転軸方向に挿入することによって、内周側コア３０を外周側コア２０に嵌合した後、図８に示すように、端面板５０の端面板孔部５１が締結孔２３に対応する位置に配置されるように、端面板５０を周方向（Ｒ１方向）に移動させる。具体的には、回転軸方向から見て、端面板孔部５１の中心Ｃ１と、締結孔２３の中心Ｃ２とが略一致するように、端面板５０を周方向（Ｒ１方向）に移動させる。これにより、端面板５０の歯部５３が、回転軸方向から見て、外周側コア嵌合部２１に対して周方向（Ｒ１方向）にずれた状態で、端面板５０が、外周側コア嵌合部２１と内周側コア嵌合部３１とに跨るように、外周側コア２０および内周側コア３０の回転軸方向の端部に配置される。なお、端面板５０（端面板５０ａおよび５０ｂ）の配置、および、移動は、回転軸方向の一方側と他方側との両方において行われる。
【００４０】
その後、端面板孔部５１を介して、締結孔２３に固定具（図示せず）を挿入して締結することにより、ステータ１００は、図示しないステータハウジングなどに取り付けられる。これにより、端面板５０も外周側コア２０に固定される。
【００４１】
（第１実施形態の製造方法の効果）
第１実施形態では、以下のような効果を得ることができる。
【００４２】
第１実施形態では、内周側コア３０を外周側コア２０に嵌合する前に、回転軸方向から見て、端面板５０の端面板孔部５１が、外周側コア２０を形成する鋼板の固定具（図示せず）が挿入される締結孔２３に対して周方向にずれた状態で、外周側コア２０に対して内周側コア３０を回転軸方向に嵌合可能なように、外周側コア嵌合部２１と内周側コア嵌合部３１とに跨らないように端面板５０を配置する工程を設ける。これにより、端面板５０を外周側コア２０に配置した状態でも、内周側コア３０の嵌合作業を行うことができる。
【００４３】
また、内周側コア３０を回転軸方向に挿入することによって、内周側コア３０を外周側コア２０に嵌合した後に、端面板５０の端面板孔部５１が締結孔２３に対応する位置に配置されるように、端面板５０を周方向に移動させることによって、端面板５０の歯部５３が、回転軸方向から見て、外周側コア嵌合部２１に対して周方向にずれた状態で、端面板５０を、外周側コア嵌合部２１と内周側コア嵌合部３１とに跨るように配置する工程を設ける。これにより、端面板５０を周方向に移動させるだけで、端面板５０を、外周側コア嵌合部２１と内周側コア嵌合部３１とに跨るように配置することができる。その結果、外周側コア２０に内周側コア３０を嵌合した後に、コイル４０との干渉を避けながら端面板５０を外周側コア２０に配置する場合と異なり、端面板５０の配置作業を容易にすることができる。
【００４４】
［第２実施形態］
（ステータの構造）
図１１〜図１４を参照して、第２実施形態によるステータ２００の構造について説明する。第２実施形態のステータ２００は、端面板５０に溝部５２および歯部５３が設けられていた上記第１実施形態と異なり、端面板６０の内周側の縁部６１は、略円形状に形成されている。
【００４５】
図１１および図１２に示すように、ステータ２００では、回転軸方向の一方側と他方側との両方において外周側コア２０および内周側コア３０を挟み込むように配置される端面板６０（端面板６０ａおよび６０ｂ）が設けられている。なお、端面板６０ａおよび６０ｂは、同一の形状を有する。
【００４６】
ここで、第２実施形態では、図１３および図１４に示すように、回転軸方向から見て、端面板６０は、周方向に沿って、複数の外周側コア嵌合部２１と、複数の内周側コア嵌合部３１とに跨るように、端面板６０の内周側の縁部６１は、内周側コア嵌合部３１の外周側の縁部３１ａよりも内周側に配置されるように構成されている。具体的には、端面板６０の内周側の縁部６１は、略円形状に形成されている。そして、略円形状の端面板６０の内周側の縁部６１が、内周側コア嵌合部３１の外周側の縁部３１ａよりも内周側に配置されるように構成されている。また、端面板６０の内周側の縁部６１は、外周側コア２０の内周側の縁部２０ａよりも外周側に配置されている。また、端面板６０には、複数（第２実施形態では、３個）の端面板孔部６２が設けられている。
【００４７】
なお、第２実施形態のその他の構成は、上記第１実施形態と同様である。
【００４８】
（第２実施形態の構成の効果）
第２実施形態では、以下のような効果を得ることができる。
【００４９】
第２実施形態では、上記のように、回転軸方向から見て、端面板６０が、周方向に沿って、複数の外周側コア嵌合部２１と、複数の内周側コア嵌合部３１とに跨るように、端面板６０の内周側の縁部６１を、内周側コア嵌合部３１の外周側の縁部３１ａよりも内周側に配置する。これにより、外周側コア２０に内周側コア３０を嵌合させた状態で、端面板６０を外周側コア２０の回転軸方向に沿って配置するだけで、容易に、端面板６０を、複数の外周側コア嵌合部２１と複数の内周側コア嵌合部３１とに跨るように配置することができる。
【００５０】
また、第２実施形態では、上記のように、端面板６０の内周側の縁部６１を、略円形状に形成する。これにより、端面板６０の内周側の縁部６１の形状が比較的単純な形状になるので、寸法の誤差等を防止しながら、端面板６０を容易に形成することができる。
【００５１】
（ステータの製造方法）
図１４を参照して、第２実施形態によるステータ２００の製造方法について説明する。
【００５２】
まず、予めコイル４０が配置されている内周側コア３０を、回転軸方向に移動させることによって、外周側コア２０の外周側コア嵌合部２１に、内周側コア３０の内周側コア嵌合部３１を嵌合させる。
【００５３】
次に、回転軸方向から見て、外周側コア２０の外周側コア嵌合部２１と内周側コア３０の内周側コア嵌合部３１とに跨るように端面板６０を配置する。その後、端面板孔部６２を介して、締結孔２３に固定具（図示せず）を挿入して締結することにより、ステータ２００は、図示しないステータハウジングなどに取り付けられる。これにより、端面板６０も外周側コア２０に固定される。
【００５４】
［第３実施形態］
（ステータの構造）
図７、図８、図１３〜図１５を参照して、第３実施形態によるステータ３００の構造について説明する。第３実施形態のステータ３００は、回転軸方向の一方側と他方側とに設けられる端面板５０（端面板６０）の形状が同一であった上記第１（第２）実施形態と異なり、回転軸方向の一方側と他方側とに設けられる端面板７０ａおよび７０ｂの形状が異なる。
【００５５】
図１５に示すように、回転軸方向の一方側と他方側との両方において外周側コア２０および内周側コア３０を挟み込むように配置される端面板７０ａおよび７０ｂが設けられている。なお、端面板７０ａは、コイル４０の図示しないリード線が設けられる側（リード線側、Ｚ１方向側）に配置される。また、端面板７０ｂは、コイル４０の図示しないリード線が設けられる側とは反対側（反リード線側、Ｚ２方向側）に配置される。
【００５６】
ここで、第３実施形態では、図７に示すように、回転軸方向の一方側（リード線側、Ｚ１方向側）に設けられる端面板７０ａは、上記第１実施形態の端面板５０と同一の形状を有する。すなわち、端面板７０ａは、外周側コア嵌合部２１に対応する形状を有する溝部５２（歯部５３）を含む。そして、図８に示すように、端面板７０ａの端面板孔部５１が締結孔２３に対応する位置に配置された状態で、歯部５３は、回転軸方向から見て、外周側コア嵌合部２１に対して周方向にずれた状態になり、端面板７０ａが、外周側コア嵌合部２１と内周側コア嵌合部３１とに跨るように配置される。
【００５７】
図１３に示すように、回転軸方向の他方側（反リード線側、Ｚ２方向側）に設けられる端面板７０ｂは、上記第２実施形態の端面板６０と同一の形状を有する。すなわち、図１４に示すように、端面板７０ｂは、回転軸方向から見て、端面板７０ｂが、周方向に沿って、複数の外周側コア嵌合部２１と、複数の内周側コア嵌合部３１とに跨るように、端面板７０ｂの内周側の縁部６１は、内周側コア嵌合部３１の外周側の縁部３１ａよりも内周側に配置されるように構成されている。
【００５８】
なお、第３実施形態のその他の構成は、上記第１および第２実施形態と同様である。
【００５９】
（第３実施形態の構成の効果）
第３実施形態では、以下のような効果を得ることができる。
【００６０】
第３実施形態では、上記のように、回転軸方向の一方側に配置される端面板７０ａでは、端面板７０ａの端面板孔部５１が締結孔２３に対応する位置に配置された状態で、歯部５３を、回転軸方向から見て、外周側コア嵌合部２１に対して周方向にずれた状態にして、端面板７０ａが、外周側コア嵌合部２１と内周側コア嵌合部３１とに跨るように配置される。また、回転軸方向の他方側に配置される端面板７０ｂでは、回転軸方向から見て、端面板７０ｂが、周方向に沿って、複数の外周側コア嵌合部２１と、複数の内周側コア嵌合部３１とに跨るように、端面板７０ｂの内周側の縁部６１を、内周側コア嵌合部３１の外周側の縁部３１ａよりも内周側に配置する。これにより、端面板とリード線との干渉が比較的生じやすいリード線側では、端面板７０ａ（歯部５３）を周方向に移動させて、端面板７０ａを、外周側コア嵌合部２１と内周側コア嵌合部３１とに跨るように配置することができる。その結果、コイル４０と端面板７０ａとの干渉を防止（コイル４０の損傷を防止）することができる。また、反リード線側に端面板７０ｂを配置することにより、端面板７０ｂを外周側コア２０の回転軸方向に沿って配置するだけで、容易に、端面板７０ｂを、複数の外周側コア嵌合部２１と複数の内周側コア嵌合部３１とに跨るように配置することができる。
【００６１】
（ステータの製造方法）
図８および図１０を参照して、第３実施形態によるステータ３００の製造方法について説明する。
【００６２】
まず、図１０に示すように、回転軸方向から見て、端面板７０ａの端面板孔部５１が、締結孔２３に対して周方向にずれた状態で、外周側コア２０に対して内周側コア３０を軸方向に嵌合可能なように、外周側コア嵌合部２１と内周側コア嵌合部３１とに跨らないように端面板７０ａを配置する。
【００６３】
次に、予めコイル４０が配置されている内周側コア３０を回転軸方向に挿入することによって、外周側コア２０の外周側コア嵌合部２１に、内周側コア３０の内周側コア嵌合部３１を嵌合させる。
【００６４】
次に、図８に示すように、端面板７０ａの端面板孔部５１が締結孔２３に対応する位置に配置されるように、端面板７０ａを周方向に移動させる。これにより、端面板７０ａが、外周側コア嵌合部２１と内周側コア嵌合部３１とに跨るように配置される。
【００６５】
次に、端面板７０ｂを回転軸方向に移動させて、回転軸方向から見て、外周側コア２０の外周側コア嵌合部２１と内周側コア３０の内周側コア嵌合部３１とに跨るように端面板７０ｂを配置する。その後、端面板孔部５１（６２）を介して、締結孔２３に固定具（図示せず）を挿入して締結することにより、ステータ３００は、図示しないステータハウジングなどに取り付けられる。これにより、端面板７０ａおよび７０ｂも外周側コア２０に固定される。なお、端面板７０ｂを配置する工程は、外周側コア２０の外周側コア嵌合部２１に、内周側コア３０の内周側コア嵌合部３１を嵌合させる工程の前に行ってもよい。
【００６６】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６７】
たとえば、上記第１〜第３実施形態では、端面板が、回転軸方向から見て、内周側コアの外周側において、外周側コア嵌合部と内周側コア嵌合部とに跨るように配置されている例を示したが、本発明はこれに限られない。たとえば、端面板を、回転軸方向から見て、内周側コアの内周側において、外周側コア嵌合部と内周側コア嵌合部とに跨るように配置してもよい。
【００６８】
また、上記第１〜第３実施形態では、端面板が、回転軸方向の一方側と他方側との両方に配置されている例を示したが、本発明はこれに限られない。たとえば、端面板を、回転軸方向の一方側のみ、または、他方側のみに配置してもよい。
【００６９】
また、上記第１〜第３実施形態では、端面板を固定具により外周側コアに固定する例を示したが、本発明はこれに限られない。たとえば、端面板を溶接などにより外周側コアに固定してもよい。
【００７０】
また、上記第１〜第３実施形態では、端面板を固定具により外周側コアに固定する例を示したが、本発明はこれに限られない。たとえば、端面板を接着剤などにより外周側コアに仮固定した後、端面板を固定具（溶接）により、外周側コアに固定してもよい。
【００７１】
また、上記第１実施形態では、端面板の内周側の形状（溝部、歯部）と外周側コア嵌合部の内周側の形状が回転軸方向から見て略一致する例を示したが、本発明はこれに限られない。本発明では、端面板が、端面板を周方向に移動させる前に外周側コアに対して内周側コアを回転軸方向に嵌合可能であり、端面板を周方向に移動させた後に、端面板が外周側コア嵌合部と内周側コア嵌合部とに跨るように配置される形状を有していれば、端面板の内周側の形状（溝部、歯部）と外周側コア嵌合部の内周側の形状が回転軸方向から見て略一致していなくてもよい。
【００７２】
また、上記第２実施形態では、端面板の内周側の縁部が、略円形状に形成されている例を示したが、本発明はこれに限られない。本発明では、端面板が、周方向に沿って、複数の外周側コア嵌合部と、複数の内周側コア嵌合部とに跨る形状を有していれば、端面板の内周側の縁部は、略円形状以外の形状でもよい。
【符号の説明】
【００７３】
１１  スロット
２０  外周側コア
２１  外周側コア嵌合部
２２  ヨーク部
２３  締結孔
３０  内周側コア
３１  内周側コア嵌合部
３１ａ  （内周側コア嵌合部の外周側の）縁部
３２  ティース部
５０、５０ａ、５０ｂ、６０、６０ａ、６０ｂ、７０ａ、７０ｂ  端面板
５１、６２  端面板孔部
５２  溝部（嵌合部対応部分）
５３  歯部（嵌合部対応部分）
６１  （端面板の内周側の）縁部
１００、２００、３００  ステータ
【図１】
0006594143.tif 000002
【図２】
0006594143.tif 000003
【図３】
0006594143.tif 000004
【図４】
0006594143.tif 000005
【図５】
0006594143.tif 000006
【図６】
0006594143.tif 000007
【図７】
0006594143.tif 000008
【図８】
0006594143.tif 000009
【図９】
0006594143.tif 000010
【図１０】
0006594143.tif 000011
【図１１】
0006594143.tif 000012
【図１２】
0006594143.tif 000013
【図１３】
0006594143.tif 000014
【図１４】
0006594143.tif 000015
【図１５】
0006594143.tif 000016